【手続補正書】
【提出日】平成27年8月31日(2015.8.31)
【手続補正１】
【補正対象書類名】特許請求の範囲
【補正対象項目名】全文
【補正方法】変更
【補正の内容】
【特許請求の範囲】
【請求項１】
発光要素を内在する発光装置であって、
前記発光装置は、３８０ｎｍから４９５ｎｍの短波長領域内にピークを有する発光要素、４９５ｎｍから５９０ｎｍの中間波長領域内にピークを有する発光要素、または、５９０ｎｍから７８０ｎｍまでの長波長領域内にピークを有する発光要素を、少なくとも上記１波長領域中に２つ以上有し、
前記発光装置から当該放射方向に出射される光の分光分布をφＳＳＬ（λ）、前記発光装置から当該放射方向に出射される光の相関色温度ＴＳＳＬ（Ｋ）に応じて選択される基準の光の分光分布をφｒｅｆ（λ）、前記発光装置から当該放射方向に出射される光の三刺激値を（ＸＳＳＬ、ＹＳＳＬ、ＺＳＳＬ）、前記発光装置から当該放射方向に出射される光の相関色温度ＴＳＳＬ（Ｋ）に応じて選択される基準の光の三刺激値を（Ｘｒｅｆ、Ｙｒｅｆ、Ｚｒｅｆ）とし、
前記発光装置から当該放射方向に出射される光の規格化分光分布ＳＳＳＬ（λ）と、前記発光装置から当該放射方向に出射される光の相関色温度ＴＳＳＬ（Ｋ）に応じて選択される基準の光の規格化分光分布Ｓｒｅｆ（λ）と、これら規格化分光分布の差ΔＳ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、λＲよりも長波長側にＳＳＳＬ（λＲ）／２となる波長Λ４が存在し、
下記数式（１）で表される指標Ａｃｇが、−２８０  ≦  Ａｃｇ  ≦  −２６を満たすことを特徴とする発光装置。
【数１】
2014225464.tif 000001
（１）
【請求項２】
発光要素を内在する発光装置であって、
前記発光装置は、３８０ｎｍから４９５ｎｍの短波長領域内にピークを有する発光要素、４９５ｎｍから５９０ｎｍの中間波長領域内にピークを有する発光要素、または、５９０ｎｍから７８０ｎｍまでの長波長領域内にピークを有する発光要素を、少なくとも上記１波長領域中に２つ以上有し、
前記発光装置から当該放射方向に出射される光の分光分布をφＳＳＬ（λ）、前記発光装置から当該放射方向に出射される光の相関色温度ＴＳＳＬ（Ｋ）に応じて選択される基準の光の分光分布をφｒｅｆ（λ）、前記発光装置から当該放射方向に出射される光の三刺激値を（ＸＳＳＬ、ＹＳＳＬ、ＺＳＳＬ）、前記発光装置から当該放射方向に出射される光の相関色温度ＴＳＳＬ（Ｋ）に応じて選択される基準の光の三刺激値を（Ｘｒｅｆ、Ｙｒｅｆ、Ｚｒｅｆ）とし、
前記発光装置から当該放射方向に出射される光の規格化分光分布ＳＳＳＬ（λ）と、前記発光装置から当該放射方向に出射される光の相関色温度ＴＳＳＬ（Ｋ）に応じて選択される基準の光の規格化分光分布Ｓｒｅｆ（λ）と、これら規格化分光分布の差ΔＳ（λ）をそれぞれ、
ＳＳＳＬ（λ）＝φＳＳＬ（λ）／ＹＳＳＬ
Ｓｒｅｆ（λ）＝φｒｅｆ（λ）／Ｙｒｅｆ
ΔＳ（λ）＝Ｓｒｅｆ（λ）−ＳＳＳＬ（λ）
と定義し、
波長３８０ｎｍ以上７８０ｎｍ以内の範囲で、ＳＳＳＬ（λ）の最長波長極大値を与える波長をλＲ（ｎｍ）とした際に、λＲよりも長波長側にＳＳＳＬ（λＲ）／２となる波長Λ４が存在せず、
下記数式（２）で表される指標Ａｃｇが、−２８０  ≦  Ａｃｇ  ≦  −２６を満たすことを特徴とする発光装置。
【数２】
2014225464.tif 000002
（２）
【請求項３】
請求項１または２に記載の発光装置であって、
前記発光装置から当該放射方向に出射される光が以下の（１）及び（２）を満たすことを特徴とする発光装置。
（１）前記発光装置から当該放射方向に出射される光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６
Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、飽和度差ΔＣｎが
−２．７  ≦  ΔＣｎ  ≦  １８．６            （ｎは１から１５の自然数）
を満たし、下記式（３）で表される飽和度差の平均が下記式（４）を満たし、
【数３】
2014225464.tif 000003
（３）
【数４】
2014225464.tif 000004
（４）
かつ飽和度差の最大値をΔＣｍａｘ、飽和度差の最小値をΔＣｍｉｎとした場合に、飽和度差の最大値と、飽和度差の最小値との間の差｜ΔＣｍａｘ−ΔＣｍｉｎ｜が
３．０  ≦  ｜ΔＣｍａｘ−ΔＣｍｉｎ｜  ≦  １９．６
を満たす。
ただし、ΔＣｎ＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝とする。
１５種類の修正マンセル色票
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（２）前記発光装置から当該放射方向に出射される光による照明を数学的に仮定した場合の上記１５種類の修正マンセル色票のＣＩＥ  １９７６  Ｌ＊ａ＊ｂ＊色空間における色相角をθｎＳＳＬ（度）（ただしｎは１から１５の自然数）とし、
当該放射方向に出射される光の相関色温度ＴＳＳＬ（Ｋ）に応じて選択される基準の光での照明を数学的に仮定した場合の当該１５種類の修正マンセル色票のＣＩＥ  １９７６
Ｌ＊ａ＊ｂ＊色空間における色相角をθｎｒｅｆ（度）（ただしｎは１から１５の自然数）とした場合に、色相角差の絶対値｜Δｈｎ｜が
０  ≦  ｜Δｈｎ｜  ≦  ９．０（度）（ｎは１から１５の自然数）
を満たす。
ただし、Δｈｎ＝θｎＳＳＬ−θｎｒｅｆとする。
【請求項４】
請求項１〜３のいずれか１項に記載の発光装置であって、
前記発光装置から当該放射方向に出射される光は、分光分布φＳＳＬ（λ）から導出される波長３８０ｎｍ以上７８０ｎｍ以下の範囲の放射効率Ｋ（ｌｍ／Ｗ）が
１８０（ｌｍ／Ｗ）  ≦  Ｋ（ｌｍ／Ｗ）  ≦  ３２０（ｌｍ／Ｗ）
を満たすことを特徴とする発光装置。
【請求項５】
請求項３に記載の発光装置であって、前記色相角差の絶対値｜Δｈｎ｜が
０．００３  ≦  ｜Δｈｎ｜  ≦  ８．３（度）（ｎは１から１５の自然数）
を満たすことを特徴とする発光装置。
【請求項６】
請求項３に記載の発光装置であって、前記一般式（３）で表される飽和度差の平均が下記式（４）´を満たすことを特徴とする発光装置。
【数５】
2014225464.tif 000005
（４）´
【請求項７】
請求項３に記載の発光装置であって、前記飽和度差ΔＣｎが
−２．４  ≦  ΔＣｎ  ≦  １６．８      （ｎは１から１５の自然数）
を満たすことを特徴とする発光装置。
【請求項８】
請求項３に記載の発光装置であって、前記飽和度差の最大値と、前記飽和度差の最小値との間の差｜ΔＣｍａｘ−ΔＣｍｉｎ｜が
３．４  ≦  ｜ΔＣｍａｘ−ΔＣｍｉｎ｜  ≦  １７．８
を満たすことを特徴とする発光装置。
【請求項９】
請求項１〜８のいずれか１項に記載の発光装置であって、
前記発光装置から当該放射方向に出射される光は、ANSI C78.377で定義される黒体放射軌跡からの距離ＤｕｖＳＳＬが
−０．０３２５  ≦  ＤｕｖＳＳＬ  ≦  −０．００７５
を満たすことを特徴とする発光装置。
【請求項１０】
請求項１〜９のいずれか１項に記載の発光装置であって、前記数式（１）または（２）で表される指標Ａｃｇが
−２５３  ≦  Ａｃｇ  ≦  −２９
を満たすことを特徴とする発光装置。
【請求項１１】
請求項１〜１０のいずれか１項に記載の発光装置であって、
前記発光装置から当該放射方向に出射される光は、分光分布φＳＳＬ（λ）から導出さ
れる波長３８０ｎｍ以上７８０ｎｍ以下の範囲の放射効率Ｋ（ｌｍ／Ｗ）が、２１０（ｌｍ／Ｗ）  ≦  Ｋ（ｌｍ／Ｗ）  ≦  ２８８（ｌｍ／Ｗ）を満たすことを特徴とする発光装置。
【請求項１２】
請求項１〜１１のいずれか１項に記載の発光装置であって、前記相関色温度ＴＳＳＬ（Ｋ）が
２５５０（Ｋ）  ≦  ＴＳＳＬ（Ｋ）  ≦  ５６５０（Ｋ）
を満たすことを特徴とする発光装置。
【請求項１３】
照明対象物を準備する照明対象物準備工程、および、発光装置から出射される光により対象物を照明する照明工程、を含む照明方法であって、
前記発光装置は、３８０ｎｍから４９５ｎｍの短波長領域内にピークを有する発光要素、４９５ｎｍから５９０ｎｍの中間波長領域内にピークを有する発光要素、または、５９０ｎｍから７８０ｎｍまでの長波長領域内にピークを有する発光要素を、少なくとも上記１波長領域中に２つ以上有し、
前記照明工程において、前記発光装置から出射される光が対象物を照明した際に、前記対象物の位置で測定した光が以下の（２）及び（３）を満たすように照明することを特徴とする照明方法。
（２）前記対象物の位置で測定した光による照明を数学的に仮定した場合の＃０１から＃１５の下記１５種類の修正マンセル色票のＣＩＥ  １９７６  Ｌ＊ａ＊ｂ＊色空間におけるａ＊値、ｂ＊値をそれぞれａ＊ｎＳＳＬ、ｂ＊ｎＳＳＬ（ただしｎは１から１５の自然数）とし、
前記対象物の位置で測定した光の相関色温度ＴＳＳＬ（Ｋ）に応じて選択される基準の光による照明を数学的に仮定した場合の当該１５種類の修正マンセル色票のＣＩＥ  １９７６  Ｌ＊ａ＊ｂ＊色空間におけるａ＊値、ｂ＊値をそれぞれａ＊ｎｒｅｆ、ｂ＊ｎｒｅｆ（ただしｎは１から１５の自然数）とした場合に、飽和度差ΔＣｎが
−２．７  ≦  ΔＣｎ  ≦  １８．６            （ｎは１から１５の自然数）
を満たし、
かつ飽和度差の最大値をΔＣｍａｘ、飽和度差の最小値をΔＣｍｉｎとした場合に、飽和度差の最大値と、飽和度差の最小値との間の差｜ΔＣｍａｘ−ΔＣｍｉｎ｜が
３．０  ≦  ｜ΔＣｍａｘ−ΔＣｍｉｎ｜  ≦  １９．６
を満たす。
ただし、ΔＣｎ＝√｛（ａ＊ｎＳＳＬ）２＋（ｂ＊ｎＳＳＬ）２｝−√｛（ａ＊ｎｒｅｆ）２＋（ｂ＊ｎｒｅｆ）２｝とする。
１５種類の修正マンセル色票  
＃０１        ７．５  Ｐ    ４    ／１０
＃０２      １０      ＰＢ  ４    ／１０
＃０３        ５      ＰＢ  ４    ／１２
＃０４        ７．５    Ｂ  ５    ／１０
＃０５      １０      ＢＧ  ６    ／  ８
＃０６        ２．５  ＢＧ  ６    ／１０
＃０７        ２．５    Ｇ  ６    ／１２
＃０８        ７．５  ＧＹ  ７    ／１０
＃０９        ２．５  ＧＹ  ８    ／１０
＃１０        ５        Ｙ  ８．５／１２
＃１１      １０      ＹＲ  ７    ／１２
＃１２        ５      ＹＲ  ７    ／１２
＃１３      １０        Ｒ  ６    ／１２
＃１４        ５        Ｒ  ４    ／１４
＃１５        ７．５  ＲＰ  ４    ／１２
（３）前記対象物の位置で測定した光による照明を数学的に仮定した場合の上記１５種類の修正マンセル色票のＣＩＥ  １９７６  Ｌ＊ａ＊ｂ＊色空間における色相角をθｎＳＳＬ（度）（ただしｎは１から１５の自然数）とし、
前記対象物の位置で測定した光の相関色温度ＴＳＳＬ（Ｋ）に応じて選択される基準の光による照明を数学的に仮定した場合の当該１５種類の修正マンセル色票のＣＩＥ  １９７６  Ｌ＊ａ＊ｂ＊色空間における色相角をθｎｒｅｆ（度）（ただしｎは１から１５の自然数）とした場合に、色相角差の絶対値｜Δｈｎ｜が
０  ≦  ｜Δｈｎ｜  ≦  ９．０（度）（ｎは１から１５の自然数）
を満たす。
ただし、Δｈｎ＝θｎＳＳＬ−θｎｒｅｆとする。